(57)【要約】      （修正有）【課題】合成画像が出力される前でも完成画像のレイアウトが把握しやすく、簡易な操作で複数の原稿に基づく合成画像が形成できる画像処理装置を提供する。【解決手段】画像処理装置は、透過型のディスプレイ板と、メモリと、表示制御部４０と、検知部５０と、読み取り要求受け付け部４２と、画像情報取得部４４と、画像合成部４６と、出力部と、を備える。ディスプレイ板は、その上に原稿が載置可能であり、その表面に画像を表示可能である。画像情報取得部４４は、読み取り要求に応じて、第１の画像を除いて、ディスプレイ板上に載置された原稿の画像である第２の画像と、第２の画像の位置情報とを取得する。画像合成部４６は、第１の画像および第２の画像を、上記位置情報に基づいて配置することにより、第１の画像および第２の画像を含む合成画像を形成する。【選択図】図３
2018174492.tif 000002
【特許請求の範囲】
【請求項１】
その上に原稿を載置可能であり、その表面に画像を表示可能な透過型のディスプレイ板と、
画像のデータを一時的に保存するメモリと、
前記メモリに保存された第１の画像を前記ディスプレイ板に表示するよう制御する表示制御部と、
前記ディスプレイ板上に原稿が載置されたことを検知する検知部と、
前記検知部が前記原稿の載置を検知した状態で前記原稿の画像の読み取り要求が行われると、その要求を受け付ける読み取り要求受け付け部と、
前記読み取り要求受け付け部が前記要求を受け付けると、前記第１の画像を除いて、前記ディスプレイ板上に載置された前記原稿の画像である第２の画像と、前記第２の画像が配置された位置に関する位置情報と、を取得する画像情報取得部と、
前記第１の画像、および前記画像情報取得部が取得した前記第２の画像を、前記位置情報に基づいて配置することにより、前記第１の画像および前記第２の画像を含む合成画像を形成する画像合成部と、
前記画像合成部が取得した前記合成画像を媒体に出力する出力部と、を備える画像処理装置。
【請求項２】
前記媒体は用紙である、請求項１に記載の画像処理装置。
【請求項３】
前記媒体はコンピューター読み取り可能な記録媒体である、請求項１に記載の画像処理装置。
【請求項４】
前記ディスプレイ板に表示される画像の編集要求を受け付ける画像編集要求受け付け部をさらに備える、請求項１〜請求項３のいずれか１項に記載の画像処理装置。
【請求項５】
前記表示制御部は、前記画像情報取得部が前記第２の画像を取得する際に、前記ディスプレイ板を非表示に切り替える、請求項１〜請求項４のいずれか１項に記載の画像処理装置。
【発明の詳細な説明】
【技術分野】
【０００１】
この発明は、画像処理装置に関するものである。
【背景技術】
【０００２】
複数の原稿に基づく合成画像を作成する画像合成機能を有する画像処理装置が知られている。例えば特許文献１においては、スキャナで読み込んだ画像から所望の領域を指定し、指定された領域内の画像をデータ上で背景画像に上書きすることにより合成画像を作成する画像処理装置が開示されている。
【０００３】
特許文献１の技術においては次のような操作が行われる。まず抽出したい画像を含む画像原稿をスキャナで読み取る。読み取る原稿の画像全体が表示操作部であるディスプレイエディタに表示される。ユーザーはディスプレイエディタに表示された画像のうち抽出したい領域をタッチペン等の入力手段を用いて指定する。その後、背景画像を含む背景原稿の原稿をスキャナで読み取る。次に合成対象原稿の画像をスキャナで読み取る。画像原稿の画像を読み取ると、指定した領域の画像のみが抽出される。抽出された画像を背景画像に上書きする処理を行うことにより合成画像が形成される。
【先行技術文献】
【特許文献】
【０００４】
【特許文献１】特開２００６−６０２９１号公報
【発明の概要】
【発明が解決しようとする課題】
【０００５】
特許文献１に開示された技術においては、出力される前に完成画像のレイアウトを確認することができないという課題がある。そのため、出力された画像が期待したレイアウトと異なる場合には原稿の再読み取りを行う必要がある。また領域指定前と領域指定後の上記画像原稿の画像の読み取り、および背景原稿の画像の読み取りという、少なくとも３回の画像読み取りが必要である。またタッチペンなどによる領域を指定する操作も必要である。したがって合成画像を形成するための手続きも煩雑である。
【０００６】
この発明の目的は、合成画像が出力される前でも完成画像のレイアウトが把握しやすく、簡易な操作で複数の原稿に基づく合成画像が形成できる画像処理装置を提供することである。
【課題を解決するための手段】
【０００７】
この発明においては、画像処理装置は、透過型のディスプレイ板と、メモリと、表示制御部と、検知部と、読み取り要求受け付け部と、画像情報取得部と、画像合成部と、出力部と、を備える。ディスプレイ板は、その上に原稿を載置可能であり、その表面に画像を表示可能である。メモリは画像のデータを一時的に保存する。表示制御部は、メモリに保存された第１の画像をディスプレイ板に表示するよう制御する。検知部は、ディスプレイ板上に原稿が載置されたことを検知する。読み取り要求受け付け部は、検知部が原稿の載置を検知した状態で原稿の画像の読み取り要求が行われると、その要求を受け付ける。画像情報取得部は、読み取り要求受け付け部が上記要求を受け付けると、第１の画像を除いて、ディスプレイ板上に載置された原稿の画像である第２の画像と、第２の画像が配置された位置に関する位置情報と、を取得する。画像合成部は、第１の画像、および画像情報取得部が取得した第２の画像を、上記位置情報に基づいて配置することにより、第１の画像および第２の画像を含む合成画像を形成する。出力部は、画像合成部が取得した合成画像を媒体に出力する。
【０００８】
この発明に係る画像処理装置においては、透過型のディスプレイ板上に第１の画像が表示された状態でその第１の画像の表示領域と重畳するように、第２の画像を含む原稿を載置することができる。そのように第２の画像を含む原稿が載置されたまま画像の読み取り要求が行われると、画像情報取得部は、第１の画像を除いて、原稿が載置された位置に関する位置情報と、第２の画像とを取得する。第２の画像をその位置情報に基づいて配置することにより、第１の画像および第２の画像の合成画像が形成される。透過型のディスプレイ板上に載置された第２の画像を含む原稿の位置は、合成後の完成画像における第２の画像の配置位置にそのまま反映される。そのため、合成画像を出力しなくても、第２の画像を含む原稿を載置する時点でユーザーが合成画像のレイアウトを確認することができる。このようにして合成画像が出力される前でも完成画像のレイアウトが把握しやすく、簡易な操作で複数の原稿に基づく合成画像が形成できる画像処理装置を提供することができる。
【発明の効果】
【０００９】
画像処理装置によれば、合成画像が出力される前でも完成画像のレイアウトが把握しやすく、簡易な操作で複数の原稿に基づく合成画像を形成できる。
【図面の簡単な説明】
【００１０】
【図１】この発明の一実施形態に係る画像処理装置を複合機に適用した場合のその複合機の外観を示す概略図である。
【図２】この発明の一実施形態に係る画像処理装置を複合機に適用した場合のその複合機の構成を示すブロック図である。
【図３】複合機の制御部の構成を示すブロック図である。
【図４】この発明の一実施形態に係る画像処理装置を用いて合成画像を形成する場合の処理の流れを示すフローチャートである。
【図５】この発明の一実施形態において、合成画像を形成するためのプロセスの一例を示す図である。
【図６】この発明の一実施形態において、合成画像を形成するためのプロセスの一例を示す図である。
【図７】この発明の一実施形態において、合成画像を形成するためのプロセスの一例を示す図である。
【図８】この発明の一実施形態において、合成画像を形成するためのプロセスの一例を示す図である。
【図９】この発明の一実施形態において、合成画像を形成するためのプロセスの一例を示す図である。
【図１０】この発明の一実施形態において、合成画像を形成するためのプロセスの一例を示す図である。
【図１１】この発明の一実施形態において、合成画像を形成するためのプロセスの一例を示す図である。
【図１２】用紙に印刷された完成画像の一例を示す図である。
【発明を実施するための形態】
【００１１】
以下、この発明の実施の形態を説明する。図１は、この発明の一実施形態に係る画像処理装置を複合機に適用した場合のその複合機の外観を示す概略図である。図２は、この発明の一実施形態に係る画像処理装置を複合機に適用した場合のその複合機の構成を示すブロック図である。
【００１２】
図１〜図２を参照して、この発明の一実施形態に係る画像処理装置としての複合機１１は、制御部１２と、表示操作部１３と、画像読み取り部１４と、出力部１５と、ハードディスク１６と、メモリ１８と、透過型のディスプレイ板としての透過型ディスプレイ２０と、本体部４３と、蓋部４５とを備える。
【００１３】
制御部１２は、複合機１１全体の制御を行う。なお、制御部１２は、ＣＰＵ（Ｃｅｎｔｒａｌ  Ｐｒｏｃｅｓｓｉｎｇ  Ｕｎｉｔ）等から構成されている。表示操作部１３は、複合機１１側から発信する情報やユーザーの入力内容を表示する表示パネル２１を含む。表示操作部１３は、印刷部数や階調性等の画像形成の条件や電源のオンまたはオフを入力させる。画像読み取り部１４は、透過型ディスプレイ２０上に載置された原稿の画像を読み取るスキャナ２２を含む。スキャナ２２により読み取られ、取得された画像のデータはメモリ１８に一時的に記憶される。出力部１５は、画像形成部１７と、記録部１９とを含む。
【００１４】
画像形成部１７は、トナーを用いて現像を行う現像装置２３を含む。画像形成部１７は、画像形成要求に応じ、用紙上に合成画像を形成する。画像形成部１７により画像を形成された用紙は、印刷物として排出トレイ３０に排出される。記録部１９は、コンピューター読み取り可能な記録媒体にデータを書き込むデータ書込装置２５を含む。ハードディスク１６は、取得した画像データや入力された画像処理条件等の格納を行う。
【００１５】
メモリ１８は、取得した画像データなどのデータを一時的に記憶する。メモリ１８は、画像記憶メモリ２６と、位置情報記憶メモリ２７とを備える。画像記憶メモリ２６は取得した画像の情報を記憶する。位置情報記憶メモリ２７は、透過型ディスプレイ２０上に載置される原稿の配置位置に関する情報を記憶する。透過型ディスプレイ２０は、その上に原稿が載置可能な載置台（プラテン）としての役割を果たす。また、表面に画像を表示可能なディスプレイとしての役割をも果たす。透過型ディスプレイ２０は、例えば有機エレクトロルミネッセンス（有機ＥＬ）ディスプレイなどの、光透過型のディスプレイ（透明ディスプレイ）からなる。また透過型ディスプレイ２０は、タッチパネル式操作部２９を有する。タッチパネル式操作部２９の操作により、透過型ディスプレイ２０に表示される画像を確認しながら、透過型ディスプレイ２０上でその画像を編集することが可能である。
【００１６】
本体部４３は、上記各要素を収容する。蓋部４５は原稿カバー４７を備える。蓋部４５を閉じた状態においては透過型ディスプレイ２０の全表示領域が覆われ、原稿カバー４７により、透過型ディスプレイ２０上に載置された原稿が移動しないように押さえられる。蓋部４５を閉じることで、透過型ディスプレイ２０上に載置された原稿をスキャナ２２が読み取る際に外光を遮蔽し、原稿の画像を読み取りやすくする。
【００１７】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）や現像剤によって形成された可視化像を転写する用紙を搬送する用紙搬送部等を備えるが、これらについては、図示および説明を省略する。また、図２中の矢印は、制御信号や制御、画像に関するデータの流れを示している。
【００１８】
なお複合機１１は、画像読み取り部１４により読み取られた原稿を用いて画像形成部１７において画像を形成し、用紙に印刷することにより、複写機として作動する。また、複合機１１は、ネットワーク（図示しない）に接続された端末から送信された画像データを用いて、画像形成部１７において画像を形成し、用紙に印刷することにより、プリンターとして作動する。また、複合機１１は外部回線に接続されることによりファクシミリ装置としても作動する。すなわち、複合機１１は、画像処理に関し、複写機能、プリンター機能、ファクシミリ機能等、複数の機能を有する。さらに、各機能に対しても、詳細に設定可能な機能を有する。
【００１９】
次に、上記した制御部１２の構成について説明する。図３は、制御部１２の構成を示すブロック図である。図３を参照して、制御部１２は、表示制御部４０と、読み取り要求受け付け部４２と、画像情報取得部４４と、画像合成部４６と、画像編集要求受け付け部４８と、検知部５０とを備える。
【００２０】
表示制御部４０は、メモリ１８に保存された画像をディスプレイ板としての透過型ディスプレイ２０に表示するよう制御する。表示される画像としては、画像読み取り部１４によって取得された画像の他に、画像合成部４６によって形成される合成画像、複合機１１がネットワークや外部メモリなどを通じて複合機１１の外部から取得した画像などが含まれる。読み取り要求受け付け部４２は、透過型ディスプレイ２０上に載置された原稿の画像の読み取り要求を受け付ける。画像情報取得部４４は、読み取り要求受け付け部４２が要求を受け付けると、透過型ディスプレイ２０上に載置された原稿の画像である第２の画像と、第２の画像が配置された位置に関する位置情報とを取得する。画像情報取得部４４は、透過型ディスプレイ２０に表示された画像（第１の画像）を除いて、透過型ディスプレイ２０上に載置された原稿の画像（第２の画像）のみを取得する。
【００２１】
画像合成部４６は、第１の画像、および画像情報取得部４４が取得した第２の画像を、位置情報に基づいて配置することにより、第１の画像および第２の画像を含む合成画像を形成する。画像編集要求受け付け部４８は、透過型ディスプレイ２０のタッチパネル式操作部２９を通じて入力される、透過型ディスプレイ２０に表示される第１の画像、第２の画像、または合成画像の編集要求を受け付ける。検知部５０は、透過型ディスプレイ２０上に原稿が載置されたことを検知する。特に透過型ディスプレイ２０に第１の画像が表示されている場合には、検知部５０は第１の画像の表示領域上に原稿が載置されたことを検知する。
【００２２】
次に、この発明に係る画像処理装置としての複合機１１を用いて画像処理装置を用いて合成画像を形成する場合について、図面を参照しながら説明する。図４は、この発明の一実施形態に係る画像処理装置を用いて合成画像を形成する場合の処理の流れを示すフローチャートである。（図４における、ステップＳ１１〜Ｓ２１）（以下、「ステップ」を省略する）。また図５〜図１１は、本実施形態において、合成画像を形成するためのプロセスの一例を示す図である。また図１２は用紙に印刷された完成画像の一例を示す図である。
【００２３】
図１、図４および図５を参照して、まずユーザーは、背景となる第１の原稿６０を準備する。第１の原稿６０はオモテ面６０Ａとウラ面６０Ｂとを有し、オモテ面６０Ａには２匹のペンギンからなる第１の画像６２が示されている。次に図１および図６を参照して、ユーザーは、オモテ面６０Ａが透過型ディスプレイ２０と対向するように、第１の原稿６０を透過型ディスプレイ２０上の所定の位置に載置する。このとき検知部５０は透過型ディスプレイ２０上に第１の原稿６０が載置されたことを検知する。その後、ユーザーは蓋部４５を閉じ、原稿カバー４７で第１の原稿６０を覆うことによって透過型ディスプレイ２０に入射する外光を遮蔽する。
【００２４】
検知部５０が第１の原稿６０の載置を検知した状態で、ユーザーは、表示操作部１３を通じて第１の原稿６０の第１の画像６２の読み取り要求を行う。読み取り要求受け付け部４２は、その読み取り要求を受け付ける。読み取り要求受け付け部４２がその読み取り要求を受け付けると、スキャナ２２が方向Ｄに移動して、第１の原稿６０の第１の画像６２を読み取る（Ｓ１１）。画像情報取得部４４は、スキャナ２２により読み取られた第１の画像６２を取得する。加えて画像情報取得部４４は、第１の画像６２が配置された位置の位置情報を、座標として取得する。
【００２５】
読み取られた第１の画像６２のデータは、メモリ１８の画像記憶メモリ２６に一時的に保存される。また第１の画像６２に関する位置情報が位置情報記憶メモリ２７に一時的に保存される（Ｓ１２）。図７を参照して、画像記憶メモリ２６に一時的に保存された第１の画像６２は、位置情報記憶メモリ２７に記憶された位置情報に基づいて、透過型ディスプレイ２０の第１表示領域７０内に、第１の表示画像７２として表示される（Ｓ１３）。第１の表示画像７２は、第１の原稿６０の第１の画像６２を左右反転した像として表示される。
【００２６】
ここで第１の表示画像７２の大きさや向きなどを変更したい場合には、透過型ディスプレイ２０の表面に設けられたタッチパネル式操作部２９を操作することにより第１の表示画像７２を編集することも可能である。画像編集要求受け付け部４８は、タッチパネル式操作部２９を通じて入力される編集要求を受け付ける。表示制御部４０は画像編集要求受け付け部４８によって受け付けられた編集要求に応じて透過型ディスプレイ２０上に表示される第１の表示画像７２を変更する。第１の表示画像７２を変更した場合、画像記憶メモリ２６に一時的に保存された第１の画像６２、および位置情報記憶メモリ２７に記憶された位置情報も更新される。
【００２７】
次に図８及び図９を参照して、透過型ディスプレイ２０の第１表示領域７０内に、第１の表示画像７２が表示された状態で第２の原稿８０を透過型ディスプレイ２０上に載置する（Ｓ１４）。第２の原稿８０は、オモテ面８０Ａとウラ面８０Ｂとを有し、オモテ面８０Ａには一本の木からなる第２の画像８２が示されている。ユーザーは、第１の表示画像７２を見ながら、ユーザーは、オモテ面８０Ａが透過型ディスプレイ２０と対向するように、透過型ディスプレイ２０上の第１表示領域７０内の所望の位置に第２の原稿８０を載置する。このとき、第１の表示画像７２に対する透過型ディスプレイ２０上に載置された第２の画像８２を含む第２の原稿８０の位置は、合成後の完成画像における、第１の画像６２に対する第２の画像８２の配置位置に反映される。したがって、ユーザーは第２の原稿８０を載置する時点で完成画像のレイアウトを確認でき、合成画像が出力される前でも完成画像のレイアウトが把握しやすい、という利点がある。また完成画像を媒体に出力する前に完成画像のレイアウトが確認できることから、出力の無駄や操作のやり直し等を抑制することができる。
【００２８】
検知部５０は透過型ディスプレイ２０上に第２の原稿８０が載置されたことを検知する。その後、ユーザーは蓋部４５を閉じ、原稿カバー４７で第２の原稿８０を覆うことによって透過型ディスプレイ２０に入射する外光を遮蔽する。また蓋部４５を閉じると、第２の画像８２の読み取り影響を与えないように、表示制御部４０は透過型ディスプレイ２０を非表示に切り替える（Ｓ１５）。図１０を参照して、検知部５０が第２の原稿８０の載置を検知した状態で、ユーザーは表示操作部１３を通じて第２の原稿８０の第２の画像８２の読み取り要求を行う（Ｓ１６）。読み取り要求受け付け部４２はこの読み取り要求を受け付ける。すなわち、第１の表示画像７２は表示されていない状態で、スキャナ２２が方向Ｄに移動して、第２の原稿８０の第２の画像８２を読み取る（Ｓ１７）。
【００２９】
画像情報取得部４４は、スキャナ２２により読み取られた第２の画像８２を取得する。加えて画像情報取得部４４は、第２の画像８２が配置された位置の位置情報を、座標として取得する。読み取られた第２の画像８２のデータは、メモリ１８の画像記憶メモリ２６に一時的に保存される。また第２の画像８２に関する位置情報が位置情報記憶メモリ２７に一時的に保存される（Ｓ１８）。図１１を参照して、画像合成部４６は、画像記憶メモリ２６に一時的に保存された第１の画像６２および第２の画像８２を、位置情報記憶メモリ２７に記憶された位置情報に基づいて配置することにより、第１の画像６２および第２の画像８２を含む合成画像１００を形成する。形成された合成画像１００は透過型ディスプレイ２０に表示される（Ｓ１９）。合成画像１００の第１表示領域７０内には第１の表示画像７２が示されている。また第１表示領域７０内の、第２表示領域９０には第２の表示画像９２が示されている。
【００３０】
第１の表示画像７２および第２の表示画像９２の大きさや向き等を変更したい場合には、透過型ディスプレイ２０の表面に設けられたタッチパネル式操作部２９を操作することによりそれぞれの表示画像を編集することも可能である。画像編集要求受け付け部４８は、タッチパネル式操作部２９を通じて入力される編集要求を受け付ける。表示制御部４０は画像編集要求受け付け部４８によって受け付けられた編集要求に応じて透過型ディスプレイ２０上に表示される第１の表示画像７２および第２の表示画像９２を変更する。合成画像１００を変更した場合、画像記憶メモリ２６に一時的に保存された第１の画像６２および第２の画像８２、並びに位置情報記憶メモリ２７に記憶されたそれぞれの画像の位置情報も更新される。
【００３１】
合成画像１００は、印刷物として用紙に出力することができる。図１２は、用紙に印刷された完成画像の一例を示す図である。図１、図２および図１２を参照して、例えば、表示操作部１３からユーザーが印刷要求（出力要求）を行うと（Ｓ２０）、画像形成部１７の現像装置２３はその命令に応じて、用紙１１２に完成画像１１０を形成する。完成画像１１０は、合成画像１００を左右反転した像である。完成画像１１０が印刷された用紙１１２は排出トレイ３０上に印刷物として出力される（Ｓ２１）。
【００３２】
以上が一連の流れである。ただし、上記実施形態は例示であって、上述のステップおよび構造の一部は省略することもできる。例えば上記実施形態においては、第２の原稿８０の第２の画像８２を読み取る際に透過型ディスプレイ２０を非表示としたが、非表示とするステップは省略が可能である。例えば、透過型ディスプレイ２０に表示された映像としての画像と、第２の原稿８０上の画像とを選択的に区別する読み取り装置を用いることにより、第１の表示画像７２を除いて、透過型ディスプレイ２０上に載置された第２の原稿８０の画像である第２の画像８２と、第２の画像８２が配置された位置に関する位置情報とを取得することも可能である。
【００３３】
また上記実施形態においては、透過型ディスプレイ２０に表示される第１の表示画像７２および第２の表示画像９２を編集する機能を有していたが、この編集機能については省略が可能である。すなわち、透過型ディスプレイ２０が備えるタッチパネル式操作部２９、および画像編集要求受け付け部４８については省略が可能である。
【００３４】
この発明の画像処理装置は画像形成部１７および記録部１９のうち一方を省略することも可能である。例えば専ら合成画像１００をデータとして出力する場合には画像形成部１７を省略することが可能である。その逆に、専ら合成画像１００を印刷物として出力する場合には記録部１９は省略が可能である。
【００３５】
また上記実施形態は種々の改変及び改良を行うこともできる。例えば上記実施形態においては、完成画像１１０は、透過型ディスプレイ２０に表示される合成画像１００を左右反転した像であったが、透過型ディスプレイ２０上で合成画像１００を左右反転させて実際の完成画像１１０の像を透過型ディスプレイ２０に表示させることも可能である。左右反転した像では完成画像１１０のイメージが把握しづらい場合には、実際の完成画像１１０の像を透過型ディスプレイ２０に表示させることが好ましい。なお、透過型ディスプレイ２０に左右反転させて表示する操作は、表示操作部１３やタッチパネル式操作部２９からの入力により行うことができる。
【００３６】
上記実施形態においては、第１の原稿６０の第１の画像６２をスキャナ２２に読み取らせることにより第１の画像６２を取得したが、第１の画像６２の情報源は特に限定されない。例えば、予めハードディスク１６やメモリ１８に保存しておいたが像を第１の画像６２とすることもできる。また複合機１１がネットワークと接続されている場合には、ネットワークを介して送信される画像を第１の画像６２とすることもできる。
【００３７】
また上記実施形態においては合成画像１００を用紙１１２に出力したが、用紙１１２に代えて、コンピューター読み取り可能な記録媒体に合成画像１００の画像データとして出力することができる。例えば図１および図２を参照して、例えばメモリーカードスロット５１にメモリーカードを挿入し、表示操作部１３からユーザーが出力要求を行うと（Ｓ２０）、記録部１９のデータ書込装置２５はその要求に応じてメモリーカードに合成画像１００の画像データを出力することができる（Ｓ２１）。またメモリーカードの代わりにＵＳＢメモリに合成画像１００の画像データを出力することもできる。この場合、ＵＳＢポート５３にＵＳＢメモリを差し込み、表示操作部１３からユーザーが出力要求を行う。この要求に応じて、記録部１９のデータ書込装置２５はＵＳＢメモリに合成画像１００の画像データを出力する。さらにメモリーカードやＵＳＢメモリなどの外部メモリに代えて、複合機１１が備えるハードディスク１６に出力し、合成画像１００の画像データを保存することもできる。なおメモリーカードスロット５１、ＵＳＢポート５３等については省略することも可能である。またコンピューター読み取り可能な記録媒体はメモリーカードやＵＳＢメモリに限定されず、磁気ディスク、光学ディスク、外部接続されるハードディスクなどの種々の記録媒体に置き換え可能である。
【００３８】
画像処理装置としての複合機１１は、他のコンピューターやサーバーなどの機器と通信可能に接続されていてもよい。またファクシミリ機能等の他の機能を備えていてもよい。
【００３９】
このように、上記画像処理装置によれば、合成画像が出力される前でも完成画像のレイアウトが把握しやすく、簡易な操作で複数の原稿に基づく合成画像が形成できる。
【００４０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４１】
この発明に係る画像処理装置は、簡易な操作で複数の原稿に基づく合成画像の形成が求められる分野において特に有利に適用され得る。
【符号の説明】
【００４２】
１１  複合機、１２  制御部、１３  表示操作部、１４  画像読み取り部、１５  出力部、１６  ハードディスク、１７  画像形成部、１８  メモリ、１９  記録部、２０  透過型ディスプレイ、２１  表示パネル、２２  スキャナ、２３  現像装置、２５  データ書込装置、２６  画像記憶メモリ、２７  位置情報記憶メモリ、２９  タッチパネル式操作部、３０  排出トレイ、４０  表示制御部、４２  読み取り要求受け付け部、４３  本体部、４４  画像情報取得部、４５  蓋部、４６  画像合成部、４７  原稿カバー、４８  画像編集要求受け付け部、５０  検知部、５１  メモリーカードスロット、５３  ＵＳＢポート、６０  第１の原稿、６０Ａ  オモテ面、６０Ｂ  ウラ面、６２  第１の画像、７０  第１表示領域、７２  第１の表示画像、８０  第２の原稿、８２  第２の画像、８０Ａ  オモテ面、８０Ｂ  ウラ面、９０  第２表示領域、９２  第２の表示画像、１００  合成画像、１１０  完成画像、１１２  用紙。
【図１】
2018174492.tif 000003
【図２】
2018174492.tif 000004
【図３】
2018174492.tif 000005
【図４】
2018174492.tif 000006
【図５】
2018174492.tif 000007
【図６】
2018174492.tif 000008
【図７】
2018174492.tif 000009
【図８】
2018174492.tif 000010
【図９】
2018174492.tif 000011
【図１０】
2018174492.tif 000012
【図１１】
2018174492.tif 000013
【図１２】
2018174492.tif 000014